(57)【要約】【課題】所望するときに十分な明るさで発光させることができる。【解決手段】光透過性を有する文字板５と、この文字板５に設けられ、且つ紫外線領域の光に反応して可視光線領域の光を発光する発光剤からなる複数の時字２３と、紫外線領域の光を発光する紫外線発光素子７と、この紫外線発光素子７で発光した紫外線領域の光を各時字２３の裏面側にそれぞれ導いて照射する複数の導光板８〜１９とを備えた。従って、紫外線発光素子７を発光させると、紫外線領域の光が複数の導光板８〜１９でそれぞれ独立して導かれて各時字２３の裏面側に別々に照射され、この別々に照射された紫外線領域の光に各時字２３の発光剤がそれぞれ反応して可視光線領域の光を発光するので、所望するときに複数の時字２３をそれぞれ十分な明るさで発光させることができ、明るい所でも暗い所でも各時字２３を鮮明に視認することができる。【選択図】　　　　図２
2004085505.tif 000002
【特許請求の範囲】
【請求項１】
光透過性を有する表示板と、
この表示板に設けられ、且つ紫外線領域の光に反応して可視光線領域の光を発光する発光剤からなる複数のマーク部と、
紫外線領域の光を発光する紫外線発光素子と、
この紫外線発光素子で発光した紫外線領域の光を前記複数のマーク部の裏面側にそれぞれ導いて照射する複数の導光板と
を備えたことを特徴とする表示部材。
【請求項２】
前記複数のマーク部は前記表示板の裏面に設けられ、前記表示板には外部光のほとんどを遮断して前記複数のマーク部の前記発光剤でそれぞれ発光した光を透過する目隠し処理が施されていることを特徴とする請求項１に記載の表示部材。
【発明の詳細な説明】
【０００１】
【発明の属する技術分野】
この発明は、時計や携帯電話機などの電子機器に用いられる表示部材に関する。
【０００２】
【従来の技術】
例えば、指針式の置き時計においては、暗い所でも時刻を知ることができるように、文字板や指針などの表示部材に夜光塗料や蓄光塗料などの発光性塗料を印刷などにより部分的に塗布して発光部を設けることにより、明るい所で外部光によって発光部にエネルギを蓄え、暗い所で発光部が蓄えたエネルギによって発光するようにしたものがある。
【０００３】
【発明が解決しようとする課題】
しかしながら、このような置き時計では、発光部が発光性塗料を印刷などにより部分的に塗布した構造であるから、暗い所で発光部が発光する発光時間に限界があり、使用者が所望するときに発光部が発光していないことがあるばかりか、発光部を十分な明かるさで発光させることができないという問題もある。
【０００４】
この発明の課題は、所望するときに十分な明るさで発光させることができるようにすることである。
【０００５】
【課題を解決するための手段】
この発明は、上記課題を解決するために、次のような構成要素を備えている。なお、各構成要素には、後述する各実施形態の項で説明される各要素に付されている図面の参照番号などを括弧と共に付す。
請求項１に記載の発明は、図１〜図５に示すように、光透過性を有する表示板（文字板５）と、この表示板に設けられ、且つ紫外線領域の光に反応して可視光線領域の光を発光する発光剤からなる複数のマーク部（時字２３）と、紫外線領域の光を発光する紫外線発光素子（７）と、この紫外線発光素子で発光した紫外線領域の光を前記複数のマーク部の裏面側にそれぞれ導いて照射する複数の導光板（８〜１９）とを備えたことを特徴とする表示部材である。
【０００６】
この発明によれば、紫外線発光素子を発光させると、紫外線領域の光が複数の導光板でそれぞれ独立して導かれて複数のマーク部の裏面側に別々に照射され、この別々に照射された紫外線領域の光に複数のマーク部の発光剤がそれぞれ反応して可視光線領域の光を発光するので、所望するときに複数のマーク部をそれぞれ十分な明るさで発光させることができ、これにより明るい所でも暗い所でも複数のマーク部を視認することができる。
【０００７】
また、請求項２に記載の発明によれば、図５に示すように、前記複数のマーク部（時字２３）が前記表示板（文字板５）の裏面に設けられ、前記表示板には外部光のほとんどを遮断して前記複数のマーク部の前記発光剤でそれぞれ発光した光を透過する目隠し処理（目隠し層２５）が施されていることを特徴とする請求項１に記載の表示部材である。
この発明によれば、明るい所で外部光のほとんどが表示板に施された目隠し処理により遮断されるので、表示板の裏面に設けられた複数のマーク部を視認することはできないが、紫外線発光素子で発光した紫外線領域の光が各導光板でそれぞれ導かれて複数のマーク部の裏面側に照射されると、複数のマーク部の発光剤がそれぞれ紫外線領域の光に反応して可視光線領域の光を発光し、この発光した可視光線領域の光が表示板の目隠し処理を透過するので、複数のマーク部が目隠し処理の表面に浮かび上がって見える。
【０００８】
【発明の実施の形態】
［第１実施形態］
以下、図１〜図４を参照して、この発明を置き時計に適用した第１実施形態について説明する。
図１はこの発明の置き時計の正面図、図２はその表示部材を示した状態の正面図、図３は図２のＡ−Ａ矢視における要部の拡大断面図である。
この置き時計は、時計ケース１を備えており、この時計ケース１の前面には、図１に示すように、時計ガラス２が装着されている。また、この時計ケース１内における前面側には、表示部材３が時計ガラス２の内側に対応して配置されている。さらに、時計ケースの１の上面には、点灯用の押釦スイッチ４が設けられている。この場合、表示部材３は、図１に示すように、文字板５および指針６を備えているほか、図２に示すように、後述する紫外線発光素子７および複数の導光板８〜１９を備えている。
【０００９】
文字板５は、ＰＣ（ポリカーボネート）やＰＭＭＡ（アクリル）などの透明または半透明な合成樹脂、つまり光透過性を有する合成樹脂からなり、図１に示すように、円形の板状に形成され、図３に示すように、その裏面（同図では下面）に両面接着テープ２０によって押え板２１が取り付けられ、この押え板２１によって時計ケース１に取り付けられている。また、指針６は、図１に示すように、時針、分針、秒針などであり、文字板５および押え板２１の中心部分の貫通孔（図示せず）に裏面側から前面側に向けて挿入されて突出した指針軸２２の各先端部にそれぞれ取り付けられ、この状態で指針軸２２を中心に文字板５の前面側を運針するように構成されている。また、この文字板５の前面における周縁部には、１時〜１２時に対応する各時字２３が等間隔で環状に設けられている。
【００１０】
これら時字２３は、波長が３５０〜４２０ｎｍ（ナノメートル：ナノは１０億分の１メートル）または２５４〜３６５ｎｍの紫外線領域の光に反応して可視光線領域の光を発光する発光剤を印刷や塗布によって形成されており、その発光色は、白色であっても良く、また赤、青、緑（黄色）を基本とする有色であっても良い。この場合の色バリエーションは１０〜１３種類ある。また、これら時字２３の発光剤は、紫外線領域の光が照射されないときに透明な状態を呈するものであっても良く、また通常の状態で時字２３を視認しやすくするために、所定の色を有する有色状態を呈するものであっても良い。この場合、文字板５の裏面側に配置された押え板２１の周縁部には、図３に示すように、時字２３にそれぞれ対応する挿入孔２４が表裏面（同図では上下面）に貫通して設けられている。
【００１１】
また、紫外線発光素子７は、図２に示すように、文字板５の裏面側における３時と９時とに対応する外周側にそれぞれ配置されている。これら紫外線発光素子７は、波長が３５０〜４００ｎｍ、好ましくは３５０〜３８０ｎｍの近紫外線（ＵＶ−Ａ）を発光するブラックライトと呼ばれる紫外線発光ダイオード（ＬＥＤ）などで構成されている。また、これら紫外線発光素子７の周囲には、図２に示すように、発光した紫外線領域の光をそれぞれ各時字２３の裏面側に導くための複数の導光板８〜１９が配置されている。これら導光板８〜１９は、紫外線発光素子７で発光した紫外線領域の光を各時字２３の裏面側に別々に導くために、それぞれ異なる形状に形成されている。
【００１２】
すなわち、複数の導光板８〜１９のうち、導光板８は、図２に示すように、３時側の紫外線発光素子７で発光した紫外線領域の光を文字板５の１時の時字２３の裏面側に導くものであり、導光板９は、３時側の紫外線発光素子７で発光した紫外線領域の光を文字板５の２時の時字２３の裏面側に導くものであり、導光板１０は、３時側の紫外線発光素子７で発光した紫外線領域の光を文字板５の３時の時字２３の裏面側に導くものであり、導光板１１は、３時側の紫外線発光素子７で発光した紫外線領域の光を文字板５の４時の時字２３の裏面側に導くものであり、導光板１２は、３時側の紫外線発光素子７で発光した紫外線領域の光を文字板５の５時の時字２３の裏面側に導くものであり、導光板１３は、３時側の紫外線発光素子７で発光した紫外線領域の光を文字板５の６時の時字２３の裏面側に導くものである。
【００１３】
また、導光板１４は、図２に示すように、９時側の紫外線発光素子７で発光した紫外線領域の光を文字板５の７時の時字２３の裏面側に導くものであり、導光板１５は、９時側の紫外線発光素子７で発光した紫外線領域の光を文字板５の８時の時字２３の裏面側に導くものであり、導光板１６は、９時側の紫外線発光素子７で発光した紫外線領域の光を文字板５の９時の時字２３の裏面側に導くものであり、導光板１７は、９時側の紫外線発光素子７で発光した紫外線領域の光を文字板５の１０時の時字２３の裏面側に導くものであり、導光板１８は、９時側の紫外線発光素子７で発光した紫外線領域の光を文字板５の１１時の時字２３の裏面側に導くものであり、導光板１９は、９時側の紫外線発光素子７で発光した紫外線領域の光を文字板５の１２時の時字２３の裏面側に導くものである。
【００１４】
これら導光板８〜１９はそれぞれ異なる形状に形成されている。このため、例えば、９時に対応する導光板１６は、図３に示すように、真直な角棒状に形成され、その一端面（同図では左端面）に入光面１６ａが９時側の紫外線発光素子７に対向して形成され、他端部の下面（同図では右端部の下面）に反射面１６ｂがほぼ４５°の角度で傾斜して形成され、この反射面１６ｂに対向する上面に円柱状の出光部１６ｃが形成され、この出光部１６ｃが９時の時字２３に対応する押え板２１の挿入孔２４に挿入された構成になっている。この９時に位置する導光板１６は、紫外線発光素子７で発光した紫外線領域の光を一端部面の入光面１６ａから採り込み、この採り込んだ紫外線領域の光を反対側に導いて反射面１６ｂで反射させ、この反射された紫外線領域の光を出光部１６ｃから９時の時字２３の裏面側に向けて照射するように構成されている。
【００１５】
また、７時に対応する導光板１４は、図４に示すように、角棒をほぼＺ字状に折り曲げた形状に形成され、その一端面（同図では左端面）に入光面１４ａが９時側の紫外線発光素子７に対向して形成され、第１角部の側面に反射面１４ｂがほぼ４５°の角度で傾斜して形成され、この反射面１４ｂに対向する第２角部の側面に反射面１４ｃがほぼ４５°の角度で傾斜して形成され、この反射面１４ｃに対向する他端部の下面（同図では右端部の下面）に反射面１４ｄがほぼ４５°の角度で傾斜して形成され、この反射面１４ｄに対向する上面に円柱状の出光部１４ｅが形成され、この出光部１４ｅが７時の時字２３に対応する押え板２１の挿入孔２４に挿入されるように構成されている。
【００１６】
この７時に対応する導光板１４は、紫外線発光素子７で発光した紫外線領域の光を一端部の入光面１４ａから採り込んで各反射面１４ｂ〜１４ｄで順次反射させて出光部１４ｅに導き、この出光部１４ｅから紫外線領域の光を７時の時字２３の裏面側に向けて照射するように構成されている。
このように、各導光板８〜１９は、紫外線発光素子７から各時字２３までの距離および位置に応じてそれぞれ異なる形状に形成されているが、その機能は全て同じ機能を有するように構成されている。また、これら導光板８〜１９は、その全ての側面に鏡面加工などの表面処理が施され、これにより入射した光が外部に漏れるのを抑制して導光効果を高めるように構成されている。
【００１７】
このような置き時計によれば、点灯用の押釦スイッチ４を操作して３時側と９時側とに配置された各紫外線発光素子７を発光させると、紫外線領域の光が各導光板８〜１９でそれぞれマーク部である１時〜１２時の各時字２３に導かれて各時字２３の裏面側に光透過性を有する文字板５を介して照射される。すなわち、１時の時字２３は、３時側に位置する紫外線発光素子７で発光した紫外線領域の光が導光板８で導かれて照射され、２時の時字２３は、３時側に位置する紫外線発光素子７で発光した紫外線領域の光が導光板９で導かれて照射され、３時の時字２３は、３時側に位置する紫外線発光素子７で発光した紫外線領域の光が導光板１０で導かれて照射され、４時の時字２３は、３時側に位置する紫外線発光素子７で発光した紫外線領域の光が導光板１１で導かれて照射され、５時の時字２３は、３時側に位置する紫外線発光素子７で発光した紫外線領域の光が導光板１２で導かれて照射され、６時の時字２３は、３時側に位置する紫外線発光素子７で発光した紫外線領域の光が導光板１３で導かれて照射される。
【００１８】
また、７時の時字２３は、９時側に位置する紫外線発光素子７で発光した紫外線領域の光が導光板１４で導かれて照射され、８時の時字２３は、９時側に位置する紫外線発光素子７で発光した紫外線領域の光が導光板１５で導かれて照射され、９時の時字２３は、９時側に位置する紫外線発光素子７で発光した紫外線領域の光が導光板１６で導かれて照射され、１０時の時字２３は、９時側に位置する紫外線発光素子７で発光した紫外線領域の光が導光板１７で導かれて照射され、１１時の時字２３は、９時側に位置する紫外線発光素子７で発光した紫外線領域の光が導光板１８で導かれて照射され、１２時の時字２３は、９時側に位置する紫外線発光素子７で発光した紫外線領域の光が導光板１９で導かれて照射される。
【００１９】
このように、各紫外線発光素子７で発光した紫外線領域の光が各導光板８〜１９でそれぞれ独立して導かれて文字板５の１時〜１２時の各時字２３の裏面側に別々に照射され、この別々に照射された、紫外線領域の光に１時〜１２時の各時字２３の発光剤がそれぞれ反応して可視光線領域の光を発光するので、所望するときに紫外線発光素子７を発光させることにより、１時〜１２時の各時字２３を十分な明るさでそれぞれ別々に発光させることができ、これにより明るい所でも暗い所でも各時字２３を鮮明に視認することができる。
【００２０】
この場合、紫外線領域の光が照射されないときに、各時字２３の発光剤が透明な状態を呈するものであっても、紫外線発光素子７を発光させることにより、明るい所でも暗い所でも各時字２３を視認することができる。また、紫外線領域の光が照射されないときに、各時字２３の発光剤が有色状態を呈するものであれば、紫外線発光素子７を発光させると、上記と同様、明るい所でも暗い所でも各時字２３を視認することができるほか、特に紫外線領域の光を含まない明るい所では、各時字２３がそれぞれ有色状態を呈するので、紫外線発光素子７を発光させなくても、通常の時計と同様、各時字２３を視認することができる。
【００２１】
［第２実施形態］
次に、図５を参照して、この発明を置き時計に適用した第２実施形態について説明する。なお、図１〜図４に示された第１実施形態と同一部分には同一符号を付して説明する。
この置き時計は、文字板５の裏面に発光剤からなる時字２３を設け、文字板５の表面に目隠し層２５を設けた構造で、これ以外は第１実施形態と同じ構造になっている。すなわち、時字２３は、第１実施形態と同様、紫外線領域の光に反応して可視光線領域の光を発光し、紫外線領域の光が照射されないときに、透明な状態を呈する発光剤を印刷や塗布により文字板５の下面における１時〜１２時の位置に対応させて設けた構造になっている。
【００２２】
また、目隠し層２５は、光透過性を有する淡い色調のインクを文字板５の上面全体に印刷や塗布により設けた構造のもの、あるいは上面全体に印刷や塗布によって設けられた遮光性を有するインク層に肉眼では見えにくい微細な孔を多数設けた構造のもので、表面側（図５では上面側）から照射される外部光のほとんどを遮断（反射）し、文字板５の下面の時字２３の発光剤が紫外線領域の光に反応して可視光線領域の光を発光したときに、その可視光線領域の光を透過するように構成されている。なお、この場合にも、紫外線発光素子７は、文字板５の３時側と９時側とに配置されており、これら紫外線発光素子７の周囲には、発光した紫外線領域の光を１時〜１２時の各時字２３の裏面側にそれぞれ導くための導光板８〜１９が配置されている。
【００２３】
このような置き時計によれば、明るい所では外部光のほとんどが文字板５の表面（図５では上面）に設けられた目隠し層２５で遮断されるので、文字板５の裏面（同図では下面）に設けられた各時字２３を視認することはできないが、紫外線発光素子７で発光した紫外線領域の光が各導光板８〜１９でそれぞれ導かれて各時字２３の裏面側に照射されると、各時字２３の発光剤が紫外線領域の光に反応して可視光線領域の光を発光し、この発光した可視光線領域の光が光透過性を有する文字板５を透過し、この透過した可視光線領域の光が目隠し層２５を透過するので、各時字２３が目隠し層２５の表面側（図５では上面側）に浮かび上がって見える。このため、第１実施形態と同様、所望するときに各紫外線発光素子７を発光させて各時字２３をそれぞれ十分な明るさで発光させることができ、これにより明るい所でも暗い所でも各時字２３を視認することができると共に、第１実施形態よりも装飾性の高いものを得ることができる。
【００２４】
なお、上記第２実施形態では、文字板５の表面（上面）に目隠し層２５を設けたが、必ずしも目隠し層２５を設ける必要はなく、文字板５自体を淡い色調の半透明な合成樹脂で形成することにより、文字板５自体に目隠し処理を施した構造でも良く、また文字板５自体を淡い色調の半透明な合成樹脂で形成した上、その表面に目隠し層２５を設ければ、更に目隠し効果を高めることができる。
また、上記第１、第２実施形態では、複数のマーク部として、１時〜１２時の時字２３を発光剤で形成した場合について述べたが、これに限らず、文字板５に図形や記号、または模様や絵柄などの複数のマーク部を発光剤でそれぞれ形成した構造であっても良い。このようにすれば、装飾的にも優れたものを得ることができる。
【００２５】
また、上記第１、第２実施形態では、表示板として、文字板５を用いた場合について述べたが、必ずしも文字板５である必要はなく、時刻などの情報を電気光学的に表示する液晶表示素子などの光透過性を有する表示板であっても良い。このような表示板に複数のマーク部を設けても、第１、第２実施形態と同様の作用効果がある。
さらに、上記第１、第２実施形態では、置き時計に適用した場合について述べたが、これに限らず、腕時計やトラベルウォッチ、または掛け時計などの時計にも適用することができるほか、表示部を有する携帯電話機、電子辞書、電子手帳、モバイルなどの電子機器にも広く適用することができる。
【００２６】
【発明の効果】
以上説明したように、この発明によれば、光透過性を有する表示板に、紫外線領域の光に反応して可視光線領域の光を発光する発光剤からなる複数のマーク部を設け、これらマーク部の裏面側に紫外線発光素子で発光した紫外線領域の光を複数の導光板でそれぞれ独立して導いて照射することにより、各マーク部の発光剤がそれぞれ紫外線領域の光に反応して可視光線領域の光を発光するので、所望するときに紫外線発光素子を発光させることにより、複数のマーク部をそれぞれ十分な明るさで発光させることができ、これにより明るい所でも暗い所でも複数のマーク部を鮮明に視認することができる。
【００２７】
この場合、複数のマーク部を表示板の裏面に設け、表示板に外部光のほとんどを遮断して各マーク部の発光剤でそれぞれ発光した光を透過する目隠し処理を施すことにより、明るい所で外部光のほとんどが表示板の目隠し処理によって遮断されるので、表示板の裏面に設けられた複数のマーク部を視認することはできないが、紫外線発光素子で発光した紫外線領域の光が複数の導光板でそれぞれ導かれて各マーク部の裏面側に照射され、各マーク部の発光剤がそれぞれ紫外線領域の光に反応して可視光線領域の光を発光すると、この発光した可視光線領域の光が表示板の目隠し処理を透過するので、複数のマーク部が目隠し処理の表面に浮かび上がって見え、これにより装飾性に優れたものを得ることができる。
【図面の簡単な説明】
【図１】この発明を置き時計に適用した第１実施形態を示した正面図。
【図２】図１における表示部材を示した状態の正面図。
【図３】図２のＡ−Ａ矢視における要部の拡大断面図。
【図４】図２の７時に対応する導光板を示した拡大斜視図。
【図５】この発明を置き時計に適用した第２実施形態の要部を示した拡大断面図。
【符号の説明】
１　時計ケース
２　時計ガラス
３　表示部材
５　文字板
６　指針
７　紫外線発光素子
８〜１９　導光板
２３　時字
２５　目隠し層
【図１】
2004085505.tif 000003
【図２】
2004085505.tif 000004
【図３】
2004085505.tif 000005
【図４】
2004085505.tif 000006
【図５】
2004085505.tif 000007